(57)【特許請求の範囲】
【請求項１】
エア吹き出し口とエア吸引口とが形成され該エア吹き出し口と該エア吸引口とを連通するエア通路が形成されたハウジングと、
該ハウジングに支持されたモータと、
該エア通路内に配置され該エア通路内において回転可能であり該モータにより回転させられるファンと、
該エア通路内であって該ファンと該エア吸引口との間に設けられた集塵フィルタと、を備え、該ファンを回転させることにより、エアを該エア吸引口から該エア通路内に流入し該エア吹き出し口から排出可能な手持ち式クリーナであって、
該ハウジングには、該エア吸引口から該エア通路内に流入したエアの一部又は全部を該エア通路外へ排出可能なエア排出口が形成され、該エア排出口には該エア排出口を通して該エア通路外へ排出されるエアの量を調整可能なエア排出量調整手段が設けられ、
該エア排出量調整手段は、該ハウジングに回転可能に支持され外形が円筒形状をなす回転部材を有し、該回転部材の周壁の一部には該回転部材の内部と外部とを連通する連通孔が形成され、該回転部材の内部は該エア吸引口に連通して該エア通路の一部をなし、
該エア排出口は、該ハウジングの一部であって該回転部材の周壁に対向する部分に形成されて該ハウジング外部と該ハウジング内部とを連通し、
該ハウジングの一部であって該回転部材の周壁に対向する部分には、該エア吹き出し口に連通する吹き出し口連通孔が形成されていることを特徴とする手持ち式クリーナ。
【請求項２】
該エア吸引口と該エア吹き出し口とは該ハウジングの長手方向における一端部に形成されていることを特徴とする請求項１に記載の手持ち式クリーナ。
【請求項３】
該エア吸引口と該エア吹き出し口とは隣接配置されていることを特徴とする請求項２に記載の手持ち式クリーナ。
【請求項４】
エア吹き出し口とエア吸引口とが形成され該エア吹き出し口と該エア吸引口とを連通するエア通路が形成されたハウジングと、
該ハウジングに支持されたモータと、
該エア通路内に配置され該エア通路内において回転可能であり該モータにより回転させられるファンと、
該エア通路内であって該ファンと該エア吸引口との間に設けられた集塵フィルタと、を備え、該ファンを回転させることにより、エアを該エア吸引口から該エア通路内に流入し該エア吹き出し口から排出可能な手持ち式クリーナであって、
該ハウジングには、該エア吸引口から該エア通路内に流入したエアの一部又は全部を該エア通路外へ排出可能なエア排出口が形成され、該エア排出口には該エア排出口を通して該エア通路外へ排出されるエアの量を調整可能なエア排出量調整手段が設けられ、
該エア吸引口は、該集塵フィルタよりも該エア通路の上流側に位置する集塵口と、該集塵フィルタよりも該エア通路の下流側に直接連通するエア流入口とを有し、
該エア流入口には、該エア流入口から該エア通路内へ流入するエアの量を調整可能なエア流入量調整手段が設けられ、
該エア通路内であって該ファンと該集塵口との間の位置には、該集塵口から該エア通路を通して該ファンへ流入するエアの量を調整可能な集塵口エア流入量調整手段が設けられていることを特徴とする手持ち式クリーナ。
【請求項５】
該エア吸引口と該エア吹き出し口とは該ハウジングの長手方向における一端部に形成されていることを特徴とする請求項４に記載の手持ち式クリーナ。
【請求項６】
該エア吸引口と該エア吹き出し口とは隣接配置されていることを特徴とする請求項５に記載の手持ち式クリーナ。
【請求項７】
モータと、
該モータに固定されるファンと、
該モータを収容するハウジングと、
該ハウジングに形成された第１のエア吸い込み口と、
該ハウジングに収容され、該第１のエア吸い込み口と該ファンとの間に設けられる集塵フィルタと、
該ハウジングに形成されたエア吹き出し口と、
該ハウジングに設けられる電池パックと、を有し、
該集塵フィルタと該ファンとの間には第２のエア吸い込み口が形成されていることを特徴とする手持ち式クリーナ。
【請求項８】
該第１のエア吸い込み口からのエアの吸い込みを規制可能としたことを特徴とする請求項７に記載の手持ち式クリーナ。
【請求項９】
モータと、
該モータに固定されるファンと、
該モータ及び該ファンを収容する本体側ハウジングと、
該本体側ハウジングに設けられ、作業者が握ることができるハンドルと、
該本体側ハウジングの後部に着脱可能に設けられる電池パックと、
該本体側ハウジングの前部に設けられる集塵フィルタと、
該本体側ハウジングの前部に着脱可能で、該集塵フィルタを覆う形状をし、前部に開口する集塵口を持つカバー側ハウジングと、を有し、
該集塵口から該カバー側ハウジング内部、該集塵フィルタを介して該ファンにエアが流入する手持ち式クリーナであって、
該カバー側ハウジングに、該ファンが排出したエアが流入可能なエア吹き出し管部と、該エア吹き出し管部と連通し、前部に開口する吹き出し口とを設け、
該吹き出し口からのエアの吹き出し量を調整可能としたことを特徴とする手持ち式クリーナ。
【請求項１０】
該電池パックは、長手方向における一方端部に位置し、
該集塵口と該吹き出し口は、長手方向における他方端部に位置することを特徴とする請求項９に記載の手持ち式クリーナ。
【請求項１１】
該カバー側ハウジングは、側方に開口するエア流入口と、
該エア流入口から該カバー側ハウジング内に流入するエアの量を調整可能なエア流入量調整手段を有することを特徴とする請求項９又は１０に記載の手持ち式クリーナ。
【発明の詳細な説明】
【技術分野】
【０００１】
本発明は手持ち式クリーナに関し、特に集塵口からエアの吸引が可能であり、エア吹き出し口からエアを吹き出し可能な手持ち式クリーナに関する。
【背景技術】
【０００２】
２次電池によって駆動される手持ち式クリーナとして、特許文献１に示すような構造が知られていた。
【先行技術文献】
【特許文献】
【０００３】
【特許文献１】特開昭６２−１３７０２６号公報
【発明の概要】
【発明が解決しようとする課題】
【０００４】
従来の手持ち式クリーナでは、窓枠の隙間に入り込んでしまった砂を集塵することが困難な場合があった。また、部屋の隅やふすまの溝にある埃を集塵することが困難な場合があった。
【０００５】
そこで、本発明は、砂や埃を容易に集塵することができるようになる手持ち式クリーナを提供することを目的とする。
【課題を解決するための手段】
【０００６】
上記目的を達成するために本発明は、エア吹き出し口とエア吸引口とが形成され該エア吹き出し口と該エア吸引口とを連通するエア通路が形成されたハウジングと、該ハウジングに支持されたモータと、該エア通路内に配置され該エア通路内において回転可能であり該モータにより回転させられるファンと、該エア通路内であって該ファンと該エア吸引口との間に設けられた集塵フィルタと、を備え、該ファンを回転させることにより、エアを該エア吸引口から該エア通路内に流入し該エア吹き出し口から排出可能な手持ち式クリーナであって、該ハウジングには、該エア吸引口から該エア通路内に流入したエアの一部又は全部を該エア通路外へ排出可能なエア排出口が形成され、該エア排出口には該エア排出口を通して該エア通路外へ排出されるエアの量を調整可能なエア排出量調整手段が設けられ、該エア排出量調整手段は、該ハウジングに回転可能に支持され外形が円筒形状をなす回転部材を有し、該回転部材の周壁の一部には該回転部材の内部と外部とを連通する連通孔が形成され、該回転部材の内部は該エア吸引口に連通して該エア通路の一部をなし、該エア排出口は、該ハウジングの一部であって該回転部材の周壁に対向する部分に形成されて該ハウジング外部と該ハウジング内部とを連通し、該ハウジングの一部であって該回転部材の周壁に対向する部分には、該エア吹き出し口に連通する吹き出し口連通孔が形成されていることを特徴とする手持ち式クリーナを提供している。
【０００７】
ハウジングには、エア吸引口からエア通路内に流入したエアの一部をエア通路外へ排出可能なエア排出口が形成され、エア排出口にはエア排出口を通してエア通路外へ排出されるエアの量を調整可能なエア排出量調整手段が設けられているため、エア吹き出し口から吹き出されるエアの風量を調整することができる。また、集塵を専ら行いたい場合には、エア吹き出し口からエアが吹き出されないようにすることができ、この結果、エア吹き出し口からのエアによって塵を吹き飛ばしてしまうことを防止することができる。エア排出量調整手段は、ハウジングに回転可能に支持され外形が円筒形状をなす回転部材を有し、回転部材の周壁の一部には回転部材の内部と外部とを連通する連通孔が形成され、回転部材の内部はエア吸引口に連通してエア通路の一部をなし、該エア排出口は、該ハウジングの一部であって該回転部材の周壁に対向する部分に形成されて該ハウジング外部と該ハウジング内部とを連通し、該ハウジングの一部であって該回転部材の周壁に対向する部分には、該エア吹き出し口に連通する吹き出し口連通孔が形成されているため、回転部材を回転させることにより、エア吹き出し口から吹き出されるエアの風量を簡単に調整することができ、また、簡単にエア吹き出し口から全くエアが吹き出されないようにすることができる。
【０００８】
ここで、該エア吸引口と該エア吹き出し口とは該ハウジングの長手方向における一端部に形成されていることが好ましい。
【０００９】
エア吸引口とエア吹き出し口とはハウジングの長手方向における一端部に形成されているため、集塵を専ら行いたい場合にエア吹き出し口からエアが吹き出されないようにすることにより、効果的に集塵を行うことができる。
【００１０】
また、該エア吸引口と該エア吹き出し口とは隣接配置されていることが好ましい。エア吸引口とエア吹き出し口とは隣接配置されているため、集塵を専ら行いたい場合にエア吹き出し口からエアが吹き出されないようにすることにより、極めて効果的に集塵を行うことができる。
【００１３】
上記目的を達成するために本発明はさらに、エア吹き出し口とエア吸引口とが形成され該エア吹き出し口と該エア吸引口とを連通するエア通路が形成されたハウジングと、該ハウジングに支持されたモータと、該エア通路内に配置され該エア通路内において回転可能であり該モータにより回転させられるファンと、該エア通路内であって該ファンと該エア吸引口との間に設けられた集塵フィルタと、を備え、該ファンを回転させることにより、エアを該エア吸引口から該エア通路内に流入し該エア吹き出し口から排出可能な手持ち式クリーナであって、該ハウジングには、該エア吸引口から該エア通路内に流入したエアの一部又は全部を該エア通路外へ排出可能なエア排出口が形成され、該エア排出口には該エア排出口を通して該エア通路外へ排出されるエアの量を調整可能なエア排出量調整手段が設けられ、該エア吸引口は、該集塵フィルタよりも該エア通路の上流側に位置する集塵口と、該集塵フィルタよりも該エア通路の下流側に直接連通するエア流入口とを有し、該エア流入口には、該エア流入口から該エア通路内へ流入するエアの量を調整可能なエア流入量調整手段が設けられ、該エア通路内であって該ファンと該集塵口との間の位置には、該集塵口から該エア通路を通して該ファンへ流入するエアの量を調整可能な集塵口エア流入量調整手段が設けられていることを特徴とする手持ち式クリーナを提供している。
【００１４】
エア吸引口は、集塵フィルタよりもエア通路の上流側に位置する集塵口と、集塵フィルタよりもエア通路の下流側に直接連通するエア流入口とを有し、エア流入口には、エア流入口からエア通路内へ流入するエアの量を調整可能なエア流入量調整手段が設けられ、エア通路内であってファンと集塵口との間の位置には、集塵口からエア通路を通してファンへ流入するエアの量を調整可能な集塵口エア流入量調整手段が設けられているため、専らエア吹き出し口からエアを吹き出すブロワを行いたいときに、集塵口からエアの吸引を行わずに、エア吹き出し口からエアを吹き出すことのみを行うことができる。このため、ブロワ作業を効率よく行うことができる。
【００１５】
また、該エア吸引口と該エア吹き出し口とは該ハウジングの長手方向における一端部に形成されていることが好ましい。
【００１７】
ここで、該エア吸引口と該エア吹き出し口とは隣接配置されていることが好ましい。
【００１８】
また、本発明は、モータと、該モータに固定されるファンと、該モータを収容するハウジングと、該ハウジングに形成された第１のエア吸い込み口と、該ハウジングに収容され、該第１のエア吸い込み口と該ファンとの間に設けられる集塵フィルタと、該ハウジングに形成されたエア吹き出し口と、該ハウジングに設けられる電池パックと、を有し、該集塵フィルタと該ファンとの間には第２のエア吸い込み口が形成されている手持ち式クリーナを提供している。
【００１９】
第２のエア吸い込み口が形成されているので、第１のエア吸い込み口からのエアの吸い込みの場合には集塵フィルタを介して吸い込み力が小さくなってしまうが、第２のエア吸い込み口からのエア吸い込みの場合には、集塵フィルタを介さず吸い込み力が小さくならずにそのままとすることができる。このため、第２のエア吸い込み口から吸い込んだエアによって、吹き出し口からのエア吹き出しを行うことができるので、エアの吹き出し力を大きくすることができる。このため、エアの吹き出しによって大きな粉じんなどを移動させる場合の作業性が向上する。
【００２０】
ここで、該第１のエア吸い込み口からのエアの吸い込みを規制可能としたことが好ましい。第１のエア吸い込み口からのエアの吸い込みを規制することによって、第２のエア吸い込み口からエアの吸い込みを主に行うことができるようになる。このため、エア吹き出し口からのエアの吹き出し力を大きくすることができる。このため、エアの吹き出しによって大きな粉じんなどを移動させる場合の作業性が向上する。
【００２１】
上記課題を解決するために本発明はさらに、モータと、該モータに固定されるファンと、該モータ及び該ファンを収容する本体側ハウジングと、該本体側ハウジングに設けられ、作業者が握ることができるハンドルと、該本体側ハウジングの後部に着脱可能に設けられる電池パックと、該本体側ハウジングの前部に設けられる集塵フィルタと、該本体側ハウジングの前部に着脱可能で、該集塵フィルタを覆う形状をし、前部に開口する集塵口を持つカバー側ハウジングと、を有し、該集塵口から該カバー側ハウジング内部、該集塵フィルタを介して該ファンにエアが流入する手持ち式クリーナであって、該カバー側ハウジングに、該ファンが排出したエアが流入可能なエア吹き出し管部と、該エア吹き出し管部と連通し、前部に開口する吹き出し口とを設け、該吹き出し口からのエアの吹き出し量を調整可能としたことを特徴とする手持ち式クリーナを提供している。
【００２３】
上記構成において、該電池パックは、長手方向における一方端部に位置し、該集塵口と該吹き出し口は、長手方向における他方端部に位置することが好ましい。
【００２４】
また、該カバー側ハウジングは、側方に開口するエア流入口と、該エア流入口から該カバー側ハウジング内に流入するエアの量を調整可能なエア流入量調整手段を有することが好ましい。
【発明の効果】
【００２５】
以上より本発明は、砂や埃を容易に集塵することができるようになる手持ち式クリーナを提供することができる。
【図面の簡単な説明】
【００２６】
【図１（ａ）】本発明の第１の実施の形態による手持ち式クリーナを示す側面図。
【図１（ｂ）】本発明の第１の実施の形態による手持ち式クリーナを示す正面図。
【図１（ｃ）】本発明の第１の実施の形態による手持ち式クリーナを示す平面図。
【図２】本発明の第１の実施の形態による手持ち式クリーナを示す断面図。
【図３】本発明の第１の実施の形態による手持ち式クリーナでエアの吸い込みのみを行い吹き出しをしていない様子を示す図であり、（ａ）は要部底面図、（ｂ）はエアが流れている様子を示す概念図。。
【図４】本発明の第１の実施の形態による手持ち式クリーナでエアの吸い込み及び吹き出しをしている様子を示す図であり、（ａ）は要部底面図、（ｂ）はエアが流れている様子を示す概念図。
【図５】本発明の第２の実施の形態による手持ち式クリーナを示す側面図。
【図６】本発明の第２の実施の形態による手持ち式クリーナを示す断面図。
【図７】本発明の第２の実施の形態による手持ち式クリーナのエア流入口を示す図であり、（ａ）は流入口が開いている様子を示す概念図、（ｂ）は流入口が閉じている様子を示す概念図。
【図８】本発明の第２の実施の形態による手持ち式クリーナの開閉蓋を示す概念図。
【発明を実施するための形態】
【００２７】
本発明の第１の実施の形態による手持ち式クリーナについて図１乃至図４を参照しながら説明する。図１、図２に示すように、手持ち式クリーナ１は、ハウジング１０と、モータ１８と、ファン１９とを備えている。以下の説明では図１（ａ）における左側を手持ち式クリーナ１の後側、右側を手持ち式クリーナ１の前側と定義し、図１（ａ）における上側を手持ち式クリーナ１の上側、下側を手持ち式クリーナ１の下側と定義して説明する。また、図１（ｃ）における下側を手持ち式クリーナ１の右側、上側を手持ち式クリーナ１の左側と定義して説明する。
【００２８】
ハウジング１０は本体側ハウジング１１とカバー側ハウジング１２とにより構成されており、カバー側ハウジング１２は本体側ハウジング１１に対して着脱可能である。より具体的には、本体側ハウジング１１の前端部の下部には、略コの字状をした係止部１１Ａ（図２）が設けられており、カバー側ハウジング１２の後端部の下部には、本体側ハウジング１１の係止部１１Ａに係合可能な凸部１２Ａ（図２）が設けられている。また、本体側ハウジング１１の前端部の上部にはフック１１Ｂが設けられており、カバー側ハウジング１２の後端部の上部にはラッチ部１２Ｂが設けられている。ラッチ部１２Ｂは、水平に延出するラッチ係合部１２Ｃと支点部１２Ｄとを有している。ラッチ係合部１２Ｃは、支点部１２Ｄを中心としてシーソーのように動作するように構成されており、ラッチ係合部１２Ｃの前部１２Ｆはバネ１２Ｅにより常時上方へ付勢されている。ラッチ係合部１２Ｃの後部１２Ｇが、図２に示すようにフック１１Ｂに係合し、且つ係止部１１Ａに凸部１２Ａが係合しているときに、本体側ハウジング１１にカバー側ハウジング１２が固定されている。手持ち式クリーナ１のユーザが指で前部１２Ｆを押下げることによりラッチ係合部１２Ｃの後部１２Ｇが上昇し、後部１２Ｇとフック１１Ｂとの係合が解除されるように構成されている。後部１２Ｇとフック１１Ｂとの係合が解除され、係止部１１Ａと凸部１２Ａとの係合が解除されることにより、本体側ハウジング１１からカバー側ハウジング１２が取り外される。また、カバー側ハウジング１２の前方には、手持ち式クリーナ１のユーザがカバー側ハウジング１２を把持可能なカバー側ハンドル部１２Ｈが設けられている。
【００２９】
本体側ハウジング１１の上部にはハンドル部１１Ｃが設けられている。ハンドル部１１Ｃは略Ｕ字形状をなしており、当該「Ｕ」字の開いている部分が本体側ハウジング１１によって塞がれた形状をなし、ハンドル部１１Ｃと本体側ハウジング１１とにより空間１１ａが画成されている。ハンドル部１１Ｃと本体側ハウジング１１とはプラスチックで一体成型されて構成されている。ハンドル部１１Ｃの前端部には、ユーザによって操作可能なトリガ１３が設けられている。また、本体側ハウジング１１の後端部の下部には、内部にリチウムイオン電池セルが収容された電池パック１４が本体側ハウジング１１に対して着脱可能に設けられている。
【００３０】
また、本体側ハウジング１１の前端部の下部には吹き出し量調整筒１５（図２）が設けられている。吹き出し量調整筒１５は上端が開口し下端が閉塞された略筒状をなしており、その軸心を中心として回転可能に本体側ハウジング１１に支承されている。当該下端を閉塞する下蓋部の中央近傍部分は本体側ハウジング１１から外部へ露出しておりＩ字状のツマミ１５Ａ（図３等）を有している。吹き出し量調整筒１５はエア排出量調整手段に相当する。吹き出し量調整筒１５の内部の空間は、ファン１９の周囲の空間に連通している。吹き出し量調整筒１５の周壁には、図３、図４に示すように切欠き１５ａが形成されている。切欠き１５ａは、Ｉ字状のツマミ１５Ａの両端位置に相当する位置にそれぞれ形成されており、それぞれ吹き出し量調整筒１５の周方向に略９０°の範囲にわたり形成されている。切欠き１５ａは連通孔に相当し、吹き出し量調整筒１５は回転部材に相当する。
【００３１】
本体側ハウジング１１の前端部の下部であって吹き出し量調整筒１５の周壁を取り囲んでいる部分、即ち、当該周壁に対向可能な部分には、本体側ハウジング１１内部と本体側ハウジング１１外部とを連通するスリット状貫通孔１２ａ（図１（ａ））と、後述のエア吹き出し管部１６の他端内部に連通する吹き出し側口部１２ｂ（図３（ａ）等）とが形成されている。スリット状貫通孔１２ａは、本体側ハウジング１１の前端部の下部であって吹き出し量調整筒１５の周壁を取り囲んでいる部分の左右両側の部分に形成されており、吹き出し量調整筒１５の軸心を中心としてそれぞれ吹き出し量調整筒１５の周方向に相当する方向に略９０°の範囲にわたり形成されている。また、吹き出し側口部１２ｂは、本体側ハウジング１１の前端部の下部であって吹き出し量調整筒１５の周壁を取り囲んでいる部分の前側の部分に形成されており、吹き出し量調整筒１５の軸心を中心として吹き出し量調整筒１５の周方向に相当する方向に略９０°の範囲にわたり形成されている。スリット状貫通孔１２ａはエア排出口に相当し、吹き出し側口部１２ｂは吹き出し口連通孔に相当する。
【００３２】
カバー側ハウジング１２の前端部には、前方へ向けて開口する集塵口１２ｃが形成されている。集塵口１２ｃはカバー側ハウジング１２の内部と外部とを連通する貫通孔をなしている。カバー側ハウジング１２の下部にはエア吹き出し管部１６が設けられている。エア吹き出し管部１６は、カバー側ハウジング１２とは別の部材で構成されており、図３、図４に示すように、ねじによってカバー側ハウジング１２に取付け固定されている。エア吹き出し管部１６はハウジング１０の一部を構成している。エア吹き出し管部１６の一端は、集塵口１２ｃに隣接配置されて前方へ向けて開口する吹き出し口１６ａをなしており、他端は、本体側ハウジング１１にカバー側ハウジング１２が固定されているときには、吹き出し側口部１２ｂに連通する。吹き出し口１６ａはエア吹き出し口に相当する。集塵口１２ｃは、後述の集塵フィルタ１７を介してファン１９の周囲の空間に連通しており、エア吸引口を構成する。
【００３３】
図２に示すように、カバー側ハウジング１２の内部であって集塵口１２ｃの近傍には、集塵口１２ｃと略同一形状の円盤状をしたゴム製の蓋部１２Ｉが設けられている。蓋部１２Ｉは、その周縁の上端がカバー側ハウジング１２に支持されており、当該支持されている部分を中心として回動可能である。蓋部１２Ｉは、蓋部１２Ｉに外部から力が作用していないときには、図２に示すように集塵口１２ｃが閉じられた状態となるように図示せぬバネにより付勢されている。手持ち式クリーナ１のユーザがトリガ１３を操作することによりファン１９が回転し始めると、カバー側ハウジング１２内が負圧になり、蓋部１２Ｉが回動して集塵口１２ｃが開くように構成されている。
【００３４】
また、図２に示すようにカバー側ハウジング１２の後端部の内部には、不織布からなり円形の開口を有する袋状の集塵フィルタ１７が設けられている。集塵フィルタ１７の開口には、後述する集塵フィルタ取り付け部２１に対して着脱可能な略筒状の被取り付け部１７Ａが、当該集塵フィルタ１７の開口と同軸的に固定されて設けられている。被取り付け部１７Ａが後述する集塵フィルタ取り付け部２１に取り付けられた状態のときには、被取り付け部１７Ａの軸方向は、集塵口１２ｃから後述のファン１９へ向かう方向に略一致している。
【００３５】
モータ１８は、本体側ハウジング１１内であって前後方向における本体側ハウジング１１の中央よりもやや前方の位置に本体側ハウジング１１に支持されて設けられており、電池パック１４及びトリガ１３と電気的に接続されている。モータ１８は出力軸１８Ａを有しており、出力軸１８Ａが略左下と略右上とを結ぶ方向に指向するようにモータ１８は配置されている。このため、モータ１８の一部がハンドル部１１Ｃと本体側ハウジング１１とにより画成される空間１１ａに突出するような構成とせずに済む。また、このように突出する構成とならないようにモータ１８を前方の位置に配置することも考えられるが、このようにすると手持ち式クリーナ１の前後方向における全長が長くなる。しかし、本実施の形態では、前述のようにモータ１８を配置しているため、ハンドル部１１Ｃの下側に位置する本体側ハウジング１１内のスペースを有効活用して、手持ち式クリーナ１の前後方向における全長が長くなることを防止することができる。
【００３６】
ファン１９は遠心ファンにより構成されており、本体側ハウジング１１の前端部の内部に配置されている。ファン１９はモータ１８の出力軸１８Ａに固定されており、ファン１９は出力軸１８Ａと同軸的に一体で回転可能である。
【００３７】
ファン１９の前方には集塵フィルタ取り付け部２１が設けられている。集塵フィルタ取り付け部２１は略円筒状をなしており、本体側ハウジング１１の前端から前方へ突出し、図２に示すようにカバー側ハウジング１２内に位置している。集塵フィルタ取り付け部２１の軸方向前端部の開口部には被取り付け部１７Ａが集塵フィルタ取り付け部２１と同軸な位置関係で着脱可能に取り付けられ、他端部はファン１９に対向配置されている。
【００３８】
次に、手持ち式クリーナ１の動作について説明する。集塵を専ら行う場合には、先ず手持ち式クリーナ１のユーザが吹き出し量調整筒１５のツマミ１５Ａをつまんで吹き出し量調整筒１５を回転させ、第１の位置の状態、即ち図３（ａ）に示す状態とする。次に、手持ち式クリーナ１のユーザがトリガ１３を操作することによりモータ１８が回転駆動してファン１９が回転する。このことにより、集塵口１２ｃからエアが流入し、当該エアは集塵フィルタ１７を通過し、ファン１９へ流れ、吹き出し量調整筒１５内部に流入する。そして、エアは、図３（ｂ）において矢印で示すように吹き出し量調整筒１５の切欠き１５ａを通り、スリット状貫通孔１２ａを通り、本体側ハウジング１１外部へ排出される。この場合には、集塵口１２ｃからカバー側ハウジング１２内に流入したエアはその全てがスリット状貫通孔１２ａから排出される。
【００３９】
吹き出し口１６ａからエアを吹き出すブロワを行う場合には、先ず手持ち式クリーナ１のユーザが吹き出し量調整筒１５のツマミ１５Ａをつまんで吹き出し量調整筒１５を回転させ、第２の位置の状態、即ち図４（ａ）に示す状態とする。次に、手持ち式クリーナ１のユーザがトリガ１３を操作することによりモータ１８が回転駆動しファン１９が回転する。このことにより、集塵口１２ｃからエアが流入し、当該エアは集塵フィルタ１７を通過し、ファン１９へ流れ、吹き出し量調整筒１５内部に流入する。そして、エアは、図４（ｂ）において矢印で示すように吹き出し量調整筒１５の切欠き１５ａを通り、エア吹き出し管部１６内を流れ、吹き出し口１６ａから吹き出される。この場合には、集塵口１２ｃからカバー側本体内に流入したエアはその全てが吹き出し口１６ａから吹き出される。
【００４０】
また、吹き出し口１６ａから吹き出されるエアの量を弱めたい場合には、先ず手持ち式クリーナ１のユーザが吹き出し量調整筒１５のツマミ１５Ａをつまんで吹き出し量調整筒１５を図３（ａ）に示す状態から時計方向へ４５°程回転させて、図３（ａ）に示す状態と図４（ａ）に示す状態との中間の状態とする。このことにより、吹き出し量調整筒１５の内部空間は吹き出し量調整筒１５の切欠き１５ａを通してエア吹き出し管部１６内空間と本体側ハウジング１１外部空間とに連通する。次に、手持ち式クリーナ１のユーザがトリガ１３を操作することによりモータ１８が回転駆動しファン１９が回転する。このことにより、集塵口１２ｃからエアが流入し、当該エアは集塵フィルタ１７を通過し、ファン１９へ流れ、吹き出し量調整筒１５内部に流入する。そして、エアの一部は、吹き出し量調整筒１５の切欠き１５ａを通り、エア吹き出し管部１６内を流れ、吹き出し口１６ａから吹き出される。エアの残部は、吹き出し量調整筒１５内部から吹き出し量調整筒１５の切欠き１５ａを通り、スリット状貫通孔１２ａを通り、本体側ハウジング１１外部へ排出される。この場合には、集塵口１２ｃからカバー側本体内に流入したエアの一部が吹き出し口１６ａから吹き出されるため、吹き出されるエアの量が弱まる。
【００４１】
上述の３つの場合において集塵口１２ｃから流入したエアが、吹き出し口１６ａ又はスリット状貫通孔１２ａから排出されるまでのエアの流れる流路はエア通路に相当する。
【００４２】
吹き出し量調整筒１５が設けられ、また、ハウジング１０にはスリット状貫通孔１２ａが形成されているため、吹き出し量調整筒１５を回転させることにより、吹き出し口１６ａから吹き出されるエアの風量を簡単に調整することができる。また、集塵を専ら行いたい場合には、簡単に吹き出し口１６ａからエアが吹き出されないようにすることができ、この結果、吹き出し口１６ａからのエアによって塵を吹き飛ばしてしまうことを防止することができる。
【００４３】
また、集塵口１２ｃと吹き出し口１６ａとはハウジング１０の前端部に形成されているため、集塵を専ら行いたい場合に吹き出し口１６ａからエアが吹き出されないようにすることにより、効果的に集塵を行うことができる。
【００４４】
また、集塵口１２ｃと吹き出し口１６ａとは隣接配置されているため、集塵を専ら行いたい場合に吹き出し口１６ａからエアが吹き出されないようにすることにより、極めて効果的に集塵を行うことができる。
【００４５】
次に、本発明の第２の実施の形態による手持ち式クリーナについて図５乃至図８を参照しながら説明する。第２の実施の形態による手持ち式クリーナ１０１では、カバー側ハウジング１１２にエア流入口１１２ｄが形成されている点、及び集塵口１２ｃからのエアの流入を防ぐための開閉蓋１２３が設けられている点で第１の実施の形態による手持ち式クリーナ１とは異なる。これ以外の構成は第１の実施の形態による手持ち式クリーナ１と同一であるため、同一の部材については同一の符号を用いて図示し説明を省略する。
【００４６】
エア流入口１１２ｄは、カバー側ハウジング１１２の後端部であってカバー側ハウジング１１２の左右方向における対称の位置に形成されている。エア流入口１１２ｄは長方形状をした領域に複数のスリットからなる貫通孔が形成されて構成されており、カバー側ハウジング１２の内部であってエア流入口１１２ｄに対向する位置には、エア流入口１１２ｄと略同一形状の長方形をなし複数のスリット状の貫通孔が形成された流入口開閉スリット部１２２（図７）が設けられている。
【００４７】
流入口開閉スリット部１２２は、その幅方向における両端部がカバー側ハウジング１２の内部に設けられた図示せぬ一対のレール状のガイド部に支持されており、当該ガイド部によりその長手方向へ移動可能である。当該移動により、エア流入口１１２ｄのスリットと流入口開閉スリット部１２２のスリットとの位置が一致し、図７（ａ）に示すような連通状態とすることができる。また、エア流入口１１２ｄのスリットと流入口開閉スリット部１２２のスリットとの位置がずれた状態となることで、図７（ｂ）に示すような連通遮断状態とすることができる。流入口開閉スリット部１２２はエア流入量調整手段に相当し、流入口開閉スリット部１２２のスリットはエア吸引口に相当する。
【００４８】
カバー側ハウジング１１２内であってエア流入口１１２ｄに対向する部分には、図示せぬエア導入管部が設けられている。エア導入管部の一端部はカバー側ハウジング１１２内部においてエア流入口１１２ｄ全体を覆っており、このことにより、エア流入口１１２ｄとカバー側ハウジング１１２の集塵口１２ｃとは連通しておらず遮断された状態をなす。図示せぬエア導入管部は後方へ延び、その他端部は集塵フィルタ取り付け部２１に接続されており、エア導入管部内の空間は集塵フィルタ取り付け部２１の内部空間と連通している。
【００４９】
開閉蓋１２３は、集塵フィルタ１７の被取り付け部１７Ａの前端部の開口部に設けられている。開閉蓋１２３は円盤状をなしており、その全体で被取り付け部１７Ａの前端部の開口部を閉塞可能に配置されている。開閉蓋１２３の周縁には、図８に示すように、開閉蓋１２３から離間する方向であって直径に平行に延出する回転棒１２３Ａが固定されており、回転棒１２３Ａの延出端にはレバー１２３Ｂが固定されている。レバー１２３Ｂを回動させることにより、回転棒１２３Ａを回転の中心として開閉蓋１２３が回転し、被取り付け部１７Ａの前端部の開口部を塞いだり開いたりすることができるように構成されている。開閉蓋１２３は集塵口エア流入量調整手段に相当する。
【００５０】
次に、手持ち式クリーナ１０１の動作について説明する。吹き出し口１６ａからエアを吹き出すブロワのみを行い、集塵を全く行わない場合には、先ず手持ち式クリーナ１０１のユーザが吹き出し量調整筒１５のツマミ１５Ａをつまんで吹き出し量調整筒１５を回転させ、図４（ａ）に示す状態とする。また、流入口開閉スリット部１２２を移動させて図７（ａ）に示す状態とする。また、開閉蓋１２３によって被取り付け部１７Ａの前端部の開口部を塞いた状態とする。
【００５１】
次に、手持ち式クリーナ１０１のユーザがトリガ１３を操作することによりモータ１８が回転駆動しファン１９が回転する。このことにより、エア流入口１１２ｄからエアが流入し、当該エアはファン１９へ流れ、吹き出し量調整筒１５内部に流入する。そして、エアは、吹き出し量調整筒１５の切欠き１５ａを通り、エア吹き出し管部１６内を流れ、吹き出し口１６ａから吹き出される。エアの流入量を調整したい場合には、流入口開閉スリット部１２２を移動させて図７（ａ）と図７（ｂ）との中間の状態として、適度にエア流入口１１２ｄのスリットが開いた状態とすればよい。上述の場合においてエア流入口１１２ｄから流入したエアが、吹き出し口１６ａから排出されるまでのエアの流れる流路はエア通路に相当する。
【００５２】
開閉蓋１２３が設けられ、また、ハウジング１０にはエア流入口１１２ｄが形成され、エア流入口１１２ｄに対向する位置には流入口開閉スリット部１２２が設けられているため、専ら吹き出し口１６ａからエアを吹き出すブロワを行いたいときに、集塵口１２ｃからエアの吸引を行わずに、吹き出し口１６ａからエアを吹き出すことのみを行うことができる。このため、ブロワ作業を効率よく行うことができる。
【００５３】
本発明の手持ち式クリーナは、上述した実施の形態に限定されず、特許請求の範囲に記載した範囲で種々の変形や改良が可能である。例えば、ハウジングや電池パックの形状は本実施の形態の形状に限定されない。特に本実施の形態による開閉蓋１２３や、流入口開閉スリット部１２２や、吹き出し量調整筒１５等の構成に限定されるものでなく、エアの流れる量を調整可能な構成であればよい。
【産業上の利用可能性】
【００５４】
本発明の手持ち式クリーナは、送風機能と吸引機能との両方の機能を有する手持ち式クリーナの分野において特に有用である。
【符号の説明】
【００５５】
１・・・手持ち式クリーナ  １０・・・ハウジング  １１・・・本体側ハウジング  １２・・・カバー側ハウジング  １２ａ・・・スリット状貫通孔  １２ｂ・・・吹き出し側口部  １２ｃ・・・集塵口  １５・・・吹き出し量調整筒  １５ａ・・・切欠き  １６ａ・・・吹き出し口  １７・・・集塵フィルタ  １８・・・モータ  １９・・・ファン  １１２ｄ・・・エア流入口  １２２・・・流入口開閉スリット部  １２３・・・開閉蓋  
【図１（ａ）】
0005541516.tif 000002
【図１（ｂ）】
0005541516.tif 000003
【図１（ｃ）】
0005541516.tif 000004
【図２】
0005541516.tif 000005
【図３】
0005541516.tif 000006
【図４】
0005541516.tif 000007
【図５】
0005541516.tif 000008
【図６】
0005541516.tif 000009
【図７】
0005541516.tif 000010
【図８】
0005541516.tif 000011